(57)【要約】【課題】  音声ディジタル光信号の放射範囲内の位置に応じて音量を段階的に設定する。【解決手段】  音声アナログ信号を１ビット量子化処理して１ビット量子化信号（パルスの疎密波）を生成する１ビット量子化Ａ／Ｄ変換器と、１ビット量子化信号を音声ディジタル光信号として送信する発光器とを備えた光無線送信機において、１ビット量子化Ａ／Ｄ変換器は、１チャネルの音声アナログ信号に対してパルス幅の異なる複数の１ビット量子化信号を出力する構成であり、複数の１ビット量子化信号をそれぞれ異なる放射領域に送信する複数の発光器を備え、複数の発光器を１次元または２次元に配置し、その中心となる発光器にパルス幅の最も広い１ビット量子化信号を入力し、当該発光器の放射領域に隣接する放射領域に送信する発光器に順次パルス幅が狭くなる１ビット量子化信号を入力する構成である。【選択図】        図１
2006295536.tif 000002
【特許請求の範囲】
【請求項１】
音声アナログ信号を１ビット量子化処理して１ビット量子化信号（パルスの疎密波）を生成する１ビット量子化Ａ／Ｄ変換器と、
前記１ビット量子化信号を音声ディジタル光信号として送信する発光器と
を備えた光無線送信機において、
前記１ビット量子化Ａ／Ｄ変換器は、１チャネルの音声アナログ信号に対してパルス幅の異なる複数の１ビット量子化信号を出力する構成であり、
前記複数の１ビット量子化信号をそれぞれ異なる放射領域に送信する複数の発光器を備え、
前記複数の発光器を１次元または２次元に配置し、その中心となる発光器に前記パルス幅の最も広い１ビット量子化信号を入力し、当該発光器の放射領域に隣接する放射領域に送信する発光器に順次パルス幅が狭くなる１ビット量子化信号を入力する構成である
ことを特徴とする光無線送信機。
【請求項２】
請求項１に記載の光無線送信機において、
前記１ビット量子化Ａ／Ｄ変換器は、複数のチャネルに対応する音声アナログ信号に対して、チャネル対応にそれぞれパルス幅の異なる複数の１ビット量子化信号を出力する構成であり、
前記チャネルごとに受信側で選択的に受信可能な音声ディジタル光信号を送信する複数の発光器が設けられ、チャネルごとに入力する１ビット量子化信号のパルス幅の広狭に応じて中心となる発光器から順次配置される構成である
ことを特徴とする光無線送信機。
【請求項３】
請求項２に記載の光無線送信機において、
前記チャネルごとの複数の発光器は、それぞれ入力する１ビット量子化信号のパルス幅の広狭に応じて配置され、かつチャネル間で対応する発光器が隣接して配置される構成である
ことを特徴とする光無線送信機。
【請求項４】
請求項２に記載の光無線送信機において、
前記チャネルごとの複数の発光器は、それぞれ入力する１ビット量子化信号のパルス幅の広狭に応じて配置され、かつチャネル間で対応する発光器が所定の間隔を置いて配置される構成である
ことを特徴とする光無線送信機。
【請求項５】
請求項２に記載の光無線送信機と、
前記音声ディジタル光信号を受光する受光器と、前記受光器で光電変換された１ビット量子化信号を音声アナログ信号に変換するフィルタ回路と、前記音声アナログ信号を音に変換するスピーカとを含む光無線受信機と
を備えた光無線伝送システムにおいて、
前記光無線受信機は、前記複数のチャネルの音声ディジタル光信号をそれぞれ受光する複数の受光器を含み、
前記光無線送信機のチャネルごとの複数の発光器は、チャネルごとに入力する１ビット量子化信号のパルス幅の広狭に応じて配置され、かつチャネル間で対応する発光器が前記各チャネルの受光器の間隔に合わせて配置される構成である
ことを特徴とする光無線伝送システム。
【請求項６】
請求項５に記載の光無線伝送システムにおいて、
前記複数のチャネルは、ステレオ再生される音声アナログ信号に対応する２チャネルとし、
前記光無線受信機の前記２チャネルに対応する２つの受光器は、ユーザの両耳の間隔で配置され、
前記光無線送信機のチャネル間で対応する発光器は、前記受光器の間隔に合わせて配置される構成である
ことを特徴とする光無線伝送システム。
【請求項７】
請求項６に記載の光無線伝送システムにおいて、
前記光無線受信機は、ユーザの右耳で聞く第１チャネルの音声ディジタル光信号を受光する受光器を左側に配置し、左耳で聞く第２チャネルの音声ディジタル光信号を受光する受光器を右側に配置し、
前記光無線送信機は、前記第１チャネルの複数の発光器をユーザからみて左側に配置し、前記第２チャネルの複数の発光器をユーザからみて右側に配置し、チャネル間で対応する発光器を前記受光器の間隔以上ずらして配置する構成である
ことを特徴とする光無線伝送システム。
【発明の詳細な説明】
【技術分野】
【０００１】
本発明は、音声アナログ信号を１ビット量子化処理して得られる音声ディジタル光信号（パルスの疎密波）を伝送する光無線送信機および光無線伝送システムに関する。
【背景技術】
【０００２】
図６は、光無線伝送システムの回路構成例を示す（非特許文献１）。図において、光無線伝送システムの光無線送信機は、音声アナログ信号を入力とし、１ビット量子化Ａ／Ｄ変換器５１で１ビット量子化信号（パルスの疎密波）に変換し、発光器（IrDA-TX ）５２からオン／オフキーイングされた音声ディジタル光信号（赤外線）として送信する構成である。
【０００３】
光無線伝送システムの光無線受信機は、音声ディジタル光信号を受光器（IrDA-RX ）５３で電気信号（１ビット量子化信号）に変換し、反転バッファ５４で波形整形し、フィルタ回路５５で音声アナログ信号を再生してスピーカ５６を駆動する構成である。このような構成により、光無線受信機にはクロック再生やフレーム同期などのディジタル伝送に特有の回路が必要なくなり、さらにＤ／Ａ変換器も不要となるため、小型・低電力化が可能となる。なお、光無線受信機では、フィルタ回路５５の機能により、１ビット量子化信号のパルスデューティに比例した音量が再生される特徴がある。
【０００４】
ところで、赤外線を用いた光無線伝送システムにおいて、伝送距離を延伸するためには複数の発光器を同じ向きに近接配置し、また伝送角度を広げるためには複数の発光器を異なる角度で配置する方法がとられる。すなわち、赤外線伝送では、発光器の個数および配置方法で受信範囲を変えることが容易であり、電波による音声伝送では得られない特徴がある。
【非特許文献１】http://www.voiceubique.com/technology.html
【発明の開示】
【発明が解決しようとする課題】
【０００５】
光無線送信機の発光器から送信される赤外線の放射範囲は、図７に示すように限られており、光無線受信機の受光器がその放射範囲から外れると、音声が急に途切れる状態になる。これは、光無線受信機を装着して音声を聞いているユーザが、目に見えない赤外線の放射範囲を意識できないためである。すなわち、ユーザは、赤外線の放射範囲の中心にいて受信しやすい位置にいるのか、赤外線の放射範囲の中心から外れて受信条件のよくない位置にいるのかが分からず、後者の場合に赤外線の放射範囲から外れると急に音声が途切れるために、ユーザは不快感を感じていた。また、赤外線の放射範囲の外から内に入る場合には、急に音声が聞こえてくる「驚き」もあった。
【０００６】
この状態は、例えば図８に示すように複数の発光器を並べて配置する場合でも、各発光器から送信される赤外線信号が同じであるために同様であった。ここで、同じ赤外線信号とは、各発光器から送信される赤外線信号（１ビット量子化信号）のパルスデューティが等しいことをいう。受光器の位置としては、２以上の発光器から送信された赤外線信号を同時に受信する第１の位置Ａと、１つの発光器から送信された赤外線信号のみを受信する第２の位置Ｂと、いずれの赤外線信号も受信できない第３の位置Ｃがあるが、第１の位置Ａおよび第２の位置Ｂでは同じ音量であるのに対して、第３の位置Ｃでは無音となる。したがって、複数の発光器を用いる場合でも急に音声が途切れることによる不快感は同様であった。
【０００７】
本発明は、音声ディジタル光信号の放射範囲内の位置に応じて音量を段階的に設定することができる光無線送信機および光無線伝送システムを提供することを目的とする。
【課題を解決するための手段】
【０００８】
第１の発明は、音声アナログ信号を１ビット量子化処理して１ビット量子化信号（パルスの疎密波）を生成する１ビット量子化Ａ／Ｄ変換器と、１ビット量子化信号を音声ディジタル光信号として送信する発光器とを備えた光無線送信機において、１ビット量子化Ａ／Ｄ変換器は、１チャネルの音声アナログ信号に対してパルス幅の異なる複数の１ビット量子化信号を出力する構成であり、複数の１ビット量子化信号をそれぞれ異なる放射領域に送信する複数の発光器を備え、複数の発光器を１次元または２次元に配置し、その中心となる発光器にパルス幅の最も広い１ビット量子化信号を入力し、当該発光器の放射領域に隣接する放射領域に送信する発光器に順次パルス幅が狭くなる１ビット量子化信号を入力する構成である。
【０００９】
ここで、１ビット量子化Ａ／Ｄ変換器は、複数のチャネルに対応する音声アナログ信号に対して、チャネル対応にそれぞれパルス幅の異なる複数の１ビット量子化信号を出力する構成であり、チャネルごとに受信側で選択的に受信可能な音声ディジタル光信号を送信する複数の発光器が設けられ、チャネルごとに入力する１ビット量子化信号のパルス幅の広狭に応じて中心となる発光器から順次配置される構成としてもよい。
【００１０】
さらに、チャネルごとの複数の発光器は、それぞれ入力する１ビット量子化信号のパルス幅の広狭に応じて配置され、かつチャネル間で対応する発光器が隣接して配置される構成としてもよい。また、チャネルごとの複数の発光器は、それぞれ入力する１ビット量子化信号のパルス幅の広狭に応じて配置され、かつチャネル間で対応する発光器が所定の間隔を置いて配置される構成としてもよい。
【００１１】
第２の発明は、複数チャネルに対応する第１の発明の光無線送信機と、音声ディジタル光信号を受光する受光器と、受光器で光電変換された１ビット量子化信号を音声アナログ信号に変換するフィルタ回路と、音声アナログ信号を音に変換するスピーカとを含む光無線受信機とを備えた光無線伝送システムにおいて、光無線受信機は、複数のチャネルの音声ディジタル光信号をそれぞれ受光する複数の受光器を含み、光無線送信機のチャネルごとの複数の発光器は、チャネルごとに入力する１ビット量子化信号のパルス幅の広狭に応じて配置され、かつチャネル間で対応する発光器が各チャネルの受光器の間隔に合わせて配置される構成である。
【００１２】
ここで、複数のチャネルは、ステレオ再生される音声アナログ信号に対応する２チャネルとし、光無線受信機の２チャネルに対応する２つの受光器は、ユーザの両耳の間隔で配置され、光無線送信機のチャネル間で対応する発光器は、受光器の間隔に合わせて配置される構成としてもよい。
【００１３】
さらに、光無線受信機は、ユーザの右耳で聞く第１チャネルの音声ディジタル光信号を受光する受光器を左側に配置し、左耳で聞く第２チャネルの音声ディジタル光信号を受光する受光器を右側に配置し、光無線送信機は、第１チャネルの複数の発光器をユーザからみて左側に配置し、第２チャネルの複数の発光器をユーザからみて右側に配置し、チャネル間で対応する発光器を受光器の間隔以上ずらして配置する構成としてもよい。
【発明の効果】
【００１４】
本発明により、放射範囲の中心から外れることを音量差で知ることができるので、ユーザが受信しやすい中心に戻ることが容易になる。
【００１５】
また、放射範囲の中心から外れると音量が小さくなるので、放射範囲から外れる際にも通常音量から急に音が途切れる不快感を軽減することができる。
【００１６】
また、複数チャネルに対応する構成において、チャネル間の対応する発光器を隣接配置することにより、複数のチャネルの信号を同じ条件（放射範囲の中心から外れると音量が小さくなる等）で受信することができる。
【００１７】
また、２チャネルに対応する構成において、チャネル間の対応する発光器をユーザの受光器の間隔に対応させて配置することにより、２チャネルの信号を同じ条件（放射範囲の中心から外れると音量が小さくなる等）で受信することができる。すなわち、２チャネルステレオ再生に利用したときに、左右の音量バランスが安定した快適な鑑賞が可能となる。
【００１８】
また、２チャネルに対応する構成において、チャネル間の対応する発光器を隣接配置または所定の間隔をあけて左右反転配置することにより、ユーザからみて音像定位を実現することができ、例えば画像を見ながら音声を楽しむような場合に、音像定位によって画面の範囲から音像が外れることがない自然な鑑賞が可能となる。
【００１９】
また、複数チャネルにおける音量の異なる範囲が重なり、そこで複数チャネルの信号が混信する場合でも、音量の大きい方のチャネルの信号のみを容易に分離して受信することができる。
【発明を実施するための最良の形態】
【００２０】
（光無線送信機の第１の実施形態）
図１は、本発明の光無線送信機の第１の実施形態を示す。図において、音声アナログ信号を１ビット量子化信号（パルスの疎密波）に変換する１ビット量子化Ａ／Ｄ変換器１１は３つの出力端子Ｃ，Ｒ，Ｌを有し、それぞれに発光器１２Ｃ，１２Ｒ，１２Ｌが接続される。各発光器１２Ｃ，１２Ｒ，１２Ｌは、光無線受信機の受光器１４から見て中央、右側、左側に位置し、それぞれの放射範囲１３Ｃ，１３Ｒ，１３Ｌの一部が重なるように設定される。ユーザの移動に伴って受光器１４が、放射範囲１３Ｃの中央位置から左右方向（図中では上下方向）に移動したときに、放射範囲１３Ｌまたは１３Ｒのみの位置を経て全ての発光器の放射範囲外に出る場合、あるいはその逆の場合を想定している。
【００２１】
ここで、本実施形態の光無線送信機の特徴は、１ビット量子化Ａ／Ｄ変換器１１の３つの出力端子Ｃ，Ｒ，Ｌから出力する１ビット量子化信号として、出力端子Ｃに対して出力端子Ｒ，Ｌのパルスデューティを小さくするところにある。具体的には、１ビット量子化信号のパルス間隔をＴ１，Ｔ２，…とし、出力端子Ｃから出力する１ビット量子化信号のパルス幅をｔとしたときに、出力端子Ｒ，Ｌから出力する１ビット量子化信号のパルス幅を例えばｔ／２とする。このようなパルスデューティの異なる複数の１ビット量子化信号は、１ビット量子化Ａ／Ｄ変換器１１のパルス幅調整手段で容易に実現することができる。
【００２２】
受光器１４で光電変換された１ビット量子化信号をフィルタ処理によって音声再生する光無線受信機では、放射範囲１３Ｃで受光するときにはパルス幅ｔの信号に対応する音量で音声を再生する。また、放射範囲１３Ｒのみの位置または放射範囲１３Ｌのみの位置で受光するときはパルス幅ｔ／２の信号に対応する小さな音量で音声を再生することになる。すなわち、光無線受信機をもつユーザが放射範囲１３Ｃに対応する中央位置から左右方向に移動し、放射範囲１３Ｒのみの位置または放射範囲１３Ｌのみの位置に入ると音量が小さくなるので、ユーザは中央位置から外れたことを認識できる。さらに、放射範囲１３Ｒまたは放射範囲１３Ｌからも外れると無音になるが、予め音量が小さくなっているので音声が途切れる際の不快感を軽減することができる。
【００２３】
なお、本実施形態では発光器１２の数を３とし、パルスデューティの種類（音量差）を２としているが、１ビット量子化Ａ／Ｄ変換器１１の出力端子数および発光器１２の数を多くして音量差の段数を多くしてもよい。また、１ビット量子化Ａ／Ｄ変換器１１の出力端子Ｒ，Ｌから出力される１ビット量子化信号のパルス幅を互いに等しいｔ／２としているが、厳密に等しいパルス幅に設定する必要はない。また、例えばパルス幅ｔ／２、ｔ、ｔ、ｔ／２のように、同じパルス幅をもつ発光器を並べて配置してもよい。
【００２４】
また、図では発光器１２Ｃ，１２Ｒ，１２Ｌの放射方向を同一方向としているが、例えば発光器１２Ｒ，１２Ｌの放射方向をそれぞれ外向きにし、放射範囲を広げるようにしてもよい。また、パルスデューティの小さい１ビット量子化信号を送信する発光器（ここでは１２Ｒ，１２Ｌ）の数を増やして放射範囲を延伸することにより、光無線送信機に対して前後方向にも音量差を有する範囲を設定することができる。また、本実施形態では発光器を１次元的に配置した例を示しているが、２次元的に配置しても同様である。
【００２５】
（光無線送信機の第２の実施形態）
図２は、本発明の光無線送信機の第２の実施形態を示す。本実施形態は、光無線受信機で選択的に受信できる複数チャネル（本実施形態では２チャネル）の信号を送信する光無線送信機の構成を特徴とする。なお、光無線受信機で選択的に受信するための方法としては、例えば各チャネルごとに波長または偏光を変え、それぞれ対応する波長または偏光の光信号を個別に受光する構成とすればよい。
【００２６】
図において、音声アナログ信号を１ビット量子化信号（パルスの疎密波）に変換する１ビット量子化Ａ／Ｄ変換器２１は、第１チャネル用に３つの出力端子Ｃ１，Ｒ１，Ｌ１を有し、第２チャネル用に３つの出力端子Ｃ２，Ｒ２，Ｌ２を有し、それぞれに発光器１２Ｃ１，１２Ｒ１，１２Ｌ１および発光器１２Ｃ２，１２Ｒ２，１２Ｌ２が接続される。
【００２７】
第１チャネル用の３つの出力端子Ｃ１，Ｒ１，Ｌ１には、出力端子Ｒ１，Ｌ１に出力端子Ｃ１よりパルスデューティの小さい１ビット量子化信号を出力し、第２チャネル用の３つの出力端子Ｃ２，Ｒ２，Ｌ２には、出力端子Ｒ２，Ｌ２に出力端子Ｃ２よりパルスデューティの小さい１ビット量子化信号を出力する構成は、第１の実施形態と同様である。すなわち、第１チャネルの１ビット量子化信号のパルス間隔をＴ１，Ｔ２，…、出力端子Ｃ１から出力する１ビット量子化信号のパルス幅をｔとしたときに、出力端子Ｒ１，Ｌ１から出力する１ビット量子化信号のパルス幅を例えばｔ／２とする。また、第２チャネルの１ビット量子化信号のパルス間隔をＴ３，Ｔ４，…、出力端子Ｃ２から出力する１ビット量子化信号のパルス幅をｔ′としたときに、出力端子Ｒ２，Ｌ２から出力する１ビット量子化信号のパルス幅を例えばｔ′／２とする。ｔとｔ′の関係は用途に応じて適宜設定される。例えば、２チャネル独立に運用する場合には任意でよいが、２チャネルをステレオ再生に利用するような場合にはほぼ等しいのが望ましい。
【００２８】
本実施形態および後述する第３の実施形態、光無線伝送システムの実施形態では、各チャネルに対応する発光器の配置形態にそれぞれ特徴がある。本実施形態では、第１チャネル用の発光器１２Ｃ１，１２Ｒ１，１２Ｌ１は、光無線受信機をもつユーザから見て中央、右側、左側に位置し、それぞれの放射範囲１３Ｃ１，１３Ｒ１，１３Ｌ１の一部が重なるように設定される。また、第２チャネル用の発光器１２Ｃ２，１２Ｒ２，１２Ｌ２は、第１チャネル用の各発光器に隣接して配置され、それぞれの放射範囲１３Ｃ２，１３Ｒ２，１３Ｌ２も隣接する。したがって、各チャネルごとに第１の実施形態と同様の条件で受信することができる。すなわち、ユーザの移動の伴って各チャネル対応の受光器１４−１，１４−２が、放射範囲１３Ｃ１，１３Ｃ２で各チャネルの信号を受光している中央位置から左右方向に移動したときに、放射範囲１３Ｌ１，１３Ｌ２のみの位置または１３Ｒ１，１３Ｒ２のみの位置で音量が低下し、さらに左右方向に移動して全ての発光器の放射範囲外に出ると無音となる。
【００２９】
ところで、本実施形態において、図３に示すように２チャネルを右耳用と左耳用のステレオ再生に適用しようとすると、次に示すような状態になる。２チャネルの受光器１４−１，１４−２が両耳の位置にあると、両耳の間隔だけ離れることになる。このとき、各チャネルに対応する放射範囲がほぼ重なっていると、両耳の位置にある各チャネル対応の受光器１４−１，１４−２がユーザの移動に伴って音量の異なる放射範囲に別れる場合が想定される。図３の例は、右耳用の受光器１４−１が音量の小さい放射範囲１３Ｒ１にあり、左耳用の受光器１４−２が音量の大きい放射範囲１３Ｃ２にあり、左右の音量差が生じることになる。この問題を解決する方法の一つは、各チャネル対応の受光器１４−１，１４−２を発光器側と同様に並べて配置することであるが、他の方法を次の第３の実施形態として説明する。
【００３０】
なお、左右の音量差は、そのまま音像の定位に利用することができる。すなわち、中央位置から右方向に移動すれば左側の再生音量が右側より大きくなり、中央位置から左方向に移動すれば右側の再生音量が左側より大きくなるので、ユーザからみれば常に中央付近に音源があるように聞こえることになる。この音像定位の他の方法については、光無線伝送システムの実施形態として後述する。
【００３１】
（光無線送信機の第３の実施形態）
図４は、本発明の光無線送信機の第３の実施形態を示す。本実施形態の特徴は、第２の実施形態と同様に２チャネルに対応する構成をとりながら、第１チャネル用の発光器１２Ｃ１，１２Ｒ１，１２Ｌ１の放射範囲１３Ｃ１，１３Ｒ１，１３Ｌ１と、第２チャネル用の発光器１２Ｃ２，１２Ｒ２，１２Ｌ２の放射範囲１３Ｃ１，１３Ｒ１，１３Ｌ１との間にそれぞれ所定の間隔（ここではユーザの両耳の間隔程度）を設けるところにある。
【００３２】
本実施形態では、光無線受信機として例えば２チャネルステレオヘッドホンタイプのものを想定し、各チャネルのパルス幅ｔとｔ′をほぼ等しい幅とし、各チャネル対応の受光器１４−１，１４−２がユーザの両耳の位置にあるときに、第１チャネルの音声と第２チャネルの音声を同じ条件で再生することができる。すなわち、ユーザの移動とともに、各チャネルの音量の変化が同じになり、左右の音量バランスが安定した快適なステレオ鑑賞が可能となる。
【００３３】
なお、各チャネルの信号をそれぞれ個別に受光再生する場合には、第２の実施形態と同様に各チャネルの音量を移動に伴ってそれぞれ個別に変化させることができる。ただし、図４の例では、第１チャネルの受信範囲は右寄り、第２チャネルの受信範囲は左寄りになる。
【００３４】
また、例えば図４にハッチングで示す放射範囲１３Ｃ２と放射範囲１３Ｌ１の重なり、かつ放射範囲１３Ｃ２と放射範囲１３Ｃ１が重ならない領域では、第２チャネル用の受光器１４−２に両チャネルの信号が受光される。通常、受光器１４−２は発光器１２Ｃ２から送信された第２チャネルの信号のみを受光するが、例えば直線偏波を用いて偏光多重を行う場合には、ユーザの姿勢によって発光器１２Ｌ１から送信された第１チャネルの信号も受光（混信入射）する場合がある。このとき、第２チャネルの信号のパルス幅がｔ′で、第１チャネルの信号のパルス幅がｔ／２（＜ｔ≒ｔ′）であることから、パルス幅の小さい第１チャネルの信号を容易に除去することができる。すなわち、両チャネルの放射範囲が重なって混信入射が発生しても、図４にハッチングで示す範囲のように両チャネルの信号のパルス幅に違いがあれば、容易に主たる信号（パルス幅ｔまたはｔ′）の信号のみを取り出すことができる。なお、図３，図５に示すハッチング領域も同様であるが、図４のハッチング領域が広いことがわかる。
【００３５】
（光無線伝送システムの実施形態）
図５は、本発明の光無線伝送システムの実施形態を示す。本実施形態の特徴は、光無線送信機の第２の実施形態と同様に２チャネルに対応する構成をとりながら、第１チャネル用の発光器１２Ｃ１，１２Ｒ１，１２Ｌ１の放射範囲１３Ｃ１，１３Ｒ１，１３Ｌ１と、第２チャネル用の発光器１２Ｃ２，１２Ｒ２，１２Ｌ２の放射範囲１３Ｃ１，１３Ｒ１，１３Ｌ１との間にそれぞれ所定の間隔を設け、かつ左右入れ替えて配置するところにある。さらに、光無線受信機の各チャネル対応の受光器１４−１，１４−２を発光器と対向させるが、第１チャネルの受光器１４−１で受光して再生された音声は右耳で聞き、第２チャネルの受光器１４−２で受光して再生された音声は左耳で聞くように構成する。
【００３６】
これにより、受光器１４−１，１４−２がそれぞれ放射範囲１３Ｃ１，１３Ｃ２にあれば、両耳に同じ大きな音量の音声が聞こえる。この位置からユーザが光無線送信機に対して右方向に移動すれば、図５に示すように、受光器１４−１が放射範囲１３Ｃ１から放射範囲１３Ｒ１に移動し、受光器１４−２が放射範囲１３Ｃ２のままとなる。このとき、受光器１４−１に対応する右耳の音量は小さくなり、受光器１４−２に対応する左耳の音量は大きなままである。すなわち、右方向に移動したときに左側の再生音量が右側よりも大きく、左方向に移動したときに右側の再生音量が左側よりも大きくなるので、聴取位置を移動しても音像の位置が動かない再生が可能となる。
【００３７】
光無線送信機の第３の実施形態のような構成でステレオ再生をする場合には、左右の音量が同時に変化するので、音源は常にユーザの正面にあるように感じるが、本実施形態または図３の構成の場合には音像の定位を実現することができる。これにより、例えば画像を見ながら音声を楽しむような場合に、ユーザが聴取する位置に拘らず画像の位置に音像が定位し、自然な鑑賞が可能となる。
【図面の簡単な説明】
【００３８】
【図１】本発明の光無線送信機の第１の実施形態を示す図。
【図２】本発明の光無線送信機の第２の実施形態を示す図。
【図３】本発明の光無線送信機の第２の実施形態の変形例を示す図。
【図４】本発明の光無線送信機の第３の実施形態を示す図。
【図５】本発明の光無線伝送システムの実施形態を示す図。
【図６】光無線伝送システムの回路構成例を示す図。
【図７】光無線送信機の放射範囲を説明する図。
【図８】複数の光無線送信機の放射範囲を説明する図。
【符号の説明】
【００３９】
１１，２１  １ビット量子化Ａ／Ｄ変換器
１２  発光器
１３  放射範囲
１４  受光器
５１  １ビット量子化Ａ／Ｄ変換器
５２  発光器（IrDA-TX ）
５３  受光器（IrDA-RX ）
５４  反転バッファ
５５  フィルタ回路
５６  スピーカ
【図１】
2006295536.tif 000003
【図２】
2006295536.tif 000004
【図３】
2006295536.tif 000005
【図４】
2006295536.tif 000006
【図５】
2006295536.tif 000007
【図６】
2006295536.tif 000008
【図７】
2006295536.tif 000009
【図８】
2006295536.tif 000010